(57)【要約】      （修正有）【課題】キャピラリアレイ接続部の気泡除去を可能とする。【解決手段】キャピラリアレイ接続部において、キャピラリアレイ先端が斜め上方を向くように接続し、さらに、気泡除去時にはポリマー溶液がこの部分の下側から上方に向かって流れるような流路構造にした。また、気泡抜きネジの開閉により容易に気泡を除去することができた。安価なバッファ溶液を使用することで分析のトータルコストを低減できた。流路を循環させることにより気泡を気泡溜めの一か所に集めることにより気泡の除去が容易にできた。ポリマー溶液とバッファ溶液を切り替えるバルブを設けることにより、安価なバッファ溶液を流し続けることにより流路内の気泡を除去する流路構成を考案した。【選択図】図３
0003136062.tif 000002
【実用新案登録請求の範囲】
【請求項１】
キャピラリアレイに試料分離媒体となるポリマー溶液を注入するための注入用ポンプを備えたキャピラリ電気泳動装置において、
キャピラリアレイ接続部にキャピラリヘッド先端が曲線的な部品でできているキャピラリアレイを斜め，下方向から、アクリル製の流路ブロックに挿入することにより、気泡がキャピラリヘッド表面から離脱し易いことを特徴とする電気泳動装置。
【請求項２】
請求項１記載の電気泳動装置において、
アクリル製の流路ブロックの内径表面に気泡を離脱し易くする為の波形面状の凹凸を施したことを特徴とする電気泳動装置。
【請求項３】
請求項１記載の電気泳動装置において、
注入用ポンプに切り替えバルブを設けることにより、ポリマー溶液とバッファ溶液を容易に切り替えて、ポリマー溶液を流し続けて気泡を除去するのではなく、バッファ溶液を流し続けて気泡を除去することを特徴とする電気泳動装置。
【請求項４】
請求項１記載の電気泳動装置において、
前記アクリル製の流路ブロック内の気泡を、気泡抜きネジを開閉することにより、アクリル製の流路ブロック内の気泡を気泡吸引シリンジで容易に吸引できることを特徴とする電気泳動装置。
【請求項５】
請求項１記載の電気泳動装置において、
前記アクリル製の流路ブロックに、キャピラリヘッド先端の近傍に振動を伝える為の金属を配置し、前記振動伝達金属に振動を与えることにより、キャピラリヘッド先端の近傍に密着した気泡を容易に離脱し、浮上させることを特徴とする電気泳動装置。
【考案の詳細な説明】
【技術分野】
【０００１】
本考案は、電気泳動装置に関する。
【背景技術】
【０００２】
キャピラリ電気泳動は、デオキシリボ核酸（ＤＮＡ）をはじめ、多くの生体試料を分離分析する技術として広く普及している。その技術的な利点の一つは、キャピラリの表面積対体積率から生じる放熱特性にある。この特性が高電圧による高速で高分解能な分離を実現可能にしている。更に、キャピラリ電気泳動方式では、多数本のキャピラリを同時に使用して分析を行うマルチ化が容易であるという特徴も有しているマルチキャピラリ方式による高スループット電気泳動装置が実用されている。
【０００３】
ここで、キャピラリとは、内径数十〜数百ミクロンの細管であり主な材料は石英である。
【０００４】
石英の外側を厚さ数十ミクロン程度のポリイミドでコーティングされている為、機械的強度を向上している。電気泳動の際には、キャピラリに試料分離媒体となる成分（ポリマー溶液）を充填して使用している。
【０００５】
試料分離媒体には、非流動性の架橋型ポリマーが使用されたこともあったが、近年は、生産性や性能安定性の点に優れた非架橋型の流動性ポリマー溶液が主流になっている。上記の様な流動性ポリマー溶液を使用する電気泳動装置には、キャピラリに前記ポリマー溶液を充填するための注入用ポンプが備えられている。例えば、アプライドバイオシステムズ社製３７３０は、サファイヤプランジャを使用した注入用ポンプによってキャピラリアレイ内部に試料分離媒体となる流動性ポリマー溶液の注入を行っている。
【０００６】
キャピラリ電気泳動装置では、分析の種類やユーザが必要とする分析条件に合わせて、キャピラリの長さ，本数を変えられるようになっている。
【０００７】
こうした、ユーザのニーズに応える為１台の装置で多種類のキャピラリアレイを搭載可能な装置が実用化されている。
【０００８】
例えば、特開２００４−１４４４７９号公報に開示された電気泳動装置では、キャピラリ本数が４８本又は、９６本のキャピラリアレイが搭載可能であり、それぞれに数種類の長さのものが利用できる。又、キャピラリアレイは消耗品としてユーザが交換できる構造になっている為、キャピラリアレイの交換のし易さが装置の操作性を評価する上で重要なポイントになる。
【０００９】
キャピラリアレイ交換のし易さを評価する時に、重要なポイントの一つになるのが、キャピラリアレイ取り付け時に流路に浸入した気泡の除去である。電気泳動装置では、電気泳動路の両端間に数キロから数十キロボルトの高電圧を印加する為、特に電気泳動路への空気の浸入はアクリル製の流路ブロック内部で放電する事が有り測定に支障をきたす場合がある。通常、キャピラリアレイの接続部は、電気泳動路の一部になるのでキャピラリアレイを取り付ける際は、流路部及び、接続部から確実に気泡を除去しなければならない。
【００１０】
特開２００４−１４４４７９号公報に開示された電気泳動装置では、キャピラリアレイを試料導入端部とポリマー溶液供給端部の２か所で固定し、レーザを照射する光学検出部で押さえる構造になっている。前記ポリマー溶液供給端部は装置の注入ポンプに接続されている。
【００１１】
具体的には、ポリマー溶液供給端部の先端をアクリル製の流路ブロックに水平方向に挿入され、スリーブと押ネジにより密封接続される構造になっている。前記アクリル製の流路ブロックにはポリマー溶液を貯蔵するためのポリマー容器とキャピラリアレイにポリマー溶液を高圧注入するための注入用ポンプが取り付けられている。注入用ポンプからアクリル製のブロック内の流路を介して、キャピラリアレイに接続されている。
【００１２】
バッファ溶液には、陽極側となる電極が挿入されているのでキャピラリアレイから前記ポリマー溶液供給端部側のバッファ溶液に通じる流路は電気泳動路となり電気泳動の際には高電圧が印加される。前記装置では、ユーザがキャピラリアレイを取り付ける際、電気泳動路となる配管から気泡を除去しなければならない。
【００１３】
前記の気泡の除去を具体的に説明すると、注入用ポンプで吸引されたポリマー溶液は、注入用ポンプで加圧された後、流路を通ってキャピラリアレイに到達する。前記キャピラリアレイが挿入されているアクリル製の流路ブロック内にポリマー溶液を供給する事により、ポリマー溶液の流れを利用して電気泳動路用のバッファ溶液チューブを通りポリマー溶液と一緒に気泡を排出していた。前記バッファ溶液チューブの流路径はφ１mm程度と小さいが、気泡の除去が容易に行えるようなサイズになっている。前記キャピラリアレイ接続部は、キャピラリアレイの束の径を収容するために比較的広い空間にならざるを得ない。更にこの部分は、注入用ポンプ（左上）からポリマー溶液用排出口（右下）へとポリマー溶液が流れる。前記ポリマー溶液の流れでは、気泡が上に浮かび上がるのとは逆方向の流れになっている為気泡の除去が難しくなっていた。前記キャピラリアレイ接続部に残留する気泡がなかなか抜けず気泡を除去する為に高価なポリマー溶液を大量に消費してしまう場合があった。
【００１４】
【特許文献１】特開２００４−１４４４７９号公報
【考案の開示】
【考案が解決しようとする課題】
【００１５】
本考案が属する様なキャピラリアレイを装置に取り付けて、キャピラリアレイ接続部を含めた電気泳動路の気泡の除去が必要な装置では、装置の操作性を向上するために気泡の除去が容易に行える工夫が必要になる。また、流路構成がシンプルで構成部品のメンテナンスが容易でなければならない。
【００１６】
本考案は、電気泳動路からの気泡の除去を容易に行うことに関する。
【課題を解決するための手段】
【００１７】
本考案は、キャピラリ電気泳動装置に於けるキャピラリアレイにポリマー溶液を供給する注入用ポンプの流路構成に関する。前記キャピラリアレイ接続部とは、キャピラリアレイのポリマー溶液供給端部が前記注入用ポンプの流路系に接続する部分であり電気泳動路として使用される部分のことである。
【００１８】
又、バッファ溶液とは、前記注入用ポンプ機構の流路に接続され電気泳動の際には陽極となるバッファ溶液を示している。
【００１９】
本考案は、キャピラリアレイが、注入用ポンプと接続する部分に於いて、前記キャピラリアレイのキャピラリヘッド先端形状をコーン状にする事により気泡の付着を防ぎ更に、キャピラリヘッド先端を下側斜め方向から上方向にアクリル製の流路ブロックに挿入する事により気泡の流れを作り気泡が浮上し易くする。
【００２０】
好ましくは、更に、キャピラリアレイを挿入するアクリル製の流路ブロックの内面は、波形面（例えば、細めネジで山の先端が丸い形状）を施し、更に、内面の表面を粗くすることにより気泡の表面張力を低減し内面の内壁から気泡を離脱し易くしたことを特徴とする。更に、キャピラリヘッド上部に気泡が浮上した時に気泡が溜まる為のロート状の筒を設けたことにより、前記ロート状の筒に小さな気泡を集め一体化させることにより気泡を大きくする効果がある。前記ロート状の筒に集められた大きな気泡を気泡抜きネジを開閉することにより気泡吸引シリンジで吸引し易くしたことを特徴とする。更に、ポリマー溶液を注入する配管位置をキャピラリヘッドの下側から上方に向かって流れるような流路系にしたことによりキャピラリヘッド先端付近の気泡の流れを作ることができ、より多くの気泡を前記ロート状の気泡溜めに浮上させることを特徴とする。
【００２１】
更に、循環用流路を設ける事により注入用ポンプの流路径と循環用流路径の違いを利用して注入用ポンプからの注入圧力差によりキャピラリヘッド付近のポリマー溶液又は、バッファ溶液を循環させる流れを作る流路系にした。更に、キャピラリヘッド先端付近の気泡を浮上し易くし気泡溜めに気泡を導き易くした。前記で発生した気泡は、途中の気泡抜きネジ下方の気泡溜めに集められ気泡抜きネジを開閉する事により容易に気泡を除去することができる事を特徴とする。
【００２２】
更に、注入用ポンプから吸引しているポリマー溶液を切り替えバルブで切り替えることにより高価なポリマー溶液から安価なバッファ溶液に切り替えて気泡が除去できるまでバッファ溶液を流し続けて気泡を除去することを特徴とする。
【００２３】
更に、循環用流路を使用し注入用ポンプの替わりに手動用シリンジを使用することによりポリマー溶液又は、安価なバッファ溶液をキャピラリヘッドに供給する事が可能になる。
【００２４】
更に、ポリマー溶液供給端部に手動用シリンジで注入することで浸入した気泡を浮上させ気泡抜きネジから容易に気泡を除去できる事を特徴とする。
【００２５】
但し、バッファ溶液で気泡を除去した場合は、ポリマー溶液で置換する必要がある。ポリマー溶液より密度の軽いバッファ溶液は、気泡抜きネジを開ける事により容易に除去できる事を特徴とする。
【考案の効果】
【００２６】
本考案のポリマー注入機構を備えた電気泳動装置では、キャピラリアレイを取り付ける時、気泡抜きネジを使用する事でキャピラリアレイを接続する部分の気泡除去が容易に行える。又、キャピラリアレイの取り付け作業が簡単になり測定前の準備時間が短縮される効果もある。更に、気泡除去に必要なポリマー使用量を低減でき経済性も向上する（通常、ポリマー溶液は非常に高価である為）。
【考案を実施するための最良の形態】
【００２７】
図１に本考案によるキャピラリ電気泳動装置の構成図を示す。このキャピラリ電気泳動装置は、キャピラリアレイ１１９，レーザ光源１２４からなる励起光学系、蛍光を検出する受光光学系１１７及び、電気泳動をさせる為の高電圧印加部１２５から構成されている。又、キャピラリアレイ１１９は、キャピラリ１２０（内径数十〜数百μｍの細管）を平面状に配列した構造で、キャピラリ１２０の配列面と平行方向から蛍光体で標識された試料（蛍光試料）が満たされたキャピラリにレーザ光を照射しキャピラリのレンズ作用によってレーザ光を集光させる事により全てのキャピラリ１２０内の蛍光試料にレーザ光が照射される。レーザ光を照射させられた蛍光試料は、蛍光を発光しレーザ光の照射方向とほぼ垂直方向に発光する。蛍光試料からの蛍光を受光光学系１１７で検出する事により測定を行う装置である。電気泳動の分離媒体となる高粘性ポリマー溶液１０１（以下、ポリマー溶液と称す）を注入するための注入用ポンプ１１６を備える。注入用ポンプ１１６は、注入用ポンプ１１６の操作により、ポリマー溶液１０１を収容しているボトル１０２（以下、ポリマー容器と称す）からポリマー溶液１０１を吸引しキャピラリアレイ１１９に注入する動作を行う。又、アクリル製の流路ブロック１１１内の気泡を除去する際にも使用される。
【００２８】
以下、装置構成の概略について説明する。キャピラリアレイ１１９の一端（試料注入端）１２１がバッファ容器１２２中のバッファ溶液１２３に浸漬され、他端がアクリル製の流路ブロック１１１に接続されている。アクリル製の流路ブロック１１１には、キャピラリアレイ１１９の他に注入用ポンプ１１６、バッファ溶液又は、ポリマー溶液を注入可能な兼用の手動用シリンジ１０８，気泡吸引シリンジ１１０，逆止弁１０６，逆止弁１０７，気泡抜きネジ１０９で構成されている。前記逆止弁１０６に直結されている切り替えバルブ１０５を介して一方はキャピラリアレイに注入するポリマー溶液１０１が入ったポリマー容器１０２、前記切り替えバルブ１０５のもう一方には、気泡抜き専用のバッファ溶液１０３が入ったバッファ容器１０４が配置されていて、各部品は、配管用チューブを介して流路を形成している。アクリル製の流路ブロック１１１とポリマー容器１０２及び、バッファ容器１０４は、切り替えバルブ１０５を介して逆止弁１０６に接続されている。
【００２９】
前記逆止弁１０６は、注入用ポンプ１１６からキャピラリアレイ１１９のキャピラリにポリマーを注入する際、ポリマー容器１０２及び、バッファ容器１０４への逆流を防いでいる。
【００３０】
バッファ容器１２６とアクリル製の流路ブロック１１１の間には電動のバッファバルブ１１３が配置されており、キャピラリアレイ１１９のキャピラリ１２０にポリマー溶液１０１を注入する際には電動のバッファバルブ１１３を閉じる事によりキャピラリアレイ１１９とバッファ容器１２２間の流路にポリマー溶液１０１を充填する。また、電気泳動のときは電動のバッファバルブ１１３を開き、流路をオープンする事によりキャピラリアレイ１１９とバッファ容器１２６間を連通させる。
【００３１】
図２に、キャピラリアレイの外観図を示す。図１，図２を用いて以下の説明をする。キャピラリアレイを構成する１本１本のキャピラリ２０３は、外径が０.１〜０.７mm、内径が０.０２〜０.５mm程度で外被はポリイミド樹脂でコーティングされている。キャピラリ自体は石英パイプであり複数本（本例では９６本）のキャピラリを配列してキャピラリアレイを構成している。キャピラリアレイは、蛍光標識されたＤＮＡサンプル等が入った試料容器から電気的な作用でキャピラリにサンプルを取り込む為のロードヘッダ２０２，ロードヘッダ２０２のサンプル番号順にキャピラリ２０３を配列固定する検知部（ウインドウユニット）２０６，複数本のキャピラリ２０３を束ねて接着したキャピラリヘッド２０５を備える。ロードヘッダ２０２から突出する試料注入端には、キャピラリに泳動電圧を印加するための中空電極２０１が設けられている。検知部（ウインドウユニット）２０６は、整列保持したキャピラリアレイに側方からレーザ光を照射するための開口２０４とキャピラリから発せられた発光を取り出すための開口２０７を備えている。
【００３２】
キャピラリアレイのキャピラリヘッド２０５は、アクリル製の流路ブロック１１１との接続部形状はキャピラリを一束にまとめた丸型のキャピラリヘッド２０５にスリーブを取り付けた後、押ねじを締め込み、スリーブを変形させる事により隙間を埋めることでアクリル製の流路ブロック１１１に取り付けができる。
【００３３】
図２に示したキャピラリアレイは、ロードヘッダ２０２と一体化された中空電極２０１の先端からキャピラリ２０３が数ミリ突出している。前記キャピラリ２０３の先端から試料注入端が蛍光標識された試料容器に入れられたＤＮＡサンプルは、アクリル製の流路ブロック１１１に接続されたバッファ容器１２２に浸漬された試料注入端１２１とロードヘッダ２０２の中空電極２０１に高電圧印加部１２５から数ｋＶの高電圧が印加され、試料容器中の試料がキャピラリアレイ１１９の各キャピラリに電界注入される。その後、キャピラリアレイ１１９の試料注入端はバッファ容器１２２に浸漬され、各キャピラリ１２０に電界注入された試料が電気泳動する事により分離する。
【００３４】
レーザ光源１２４から発せられたレーザ光は、励起光学系によって検知部（ウインドウユニット）２０６に誘導され照射する。励起光照射によってキャピラリ中を泳動している試料から発せられた信号光である蛍光は、検出光学系を介して受光光学系１１７で検出される。
【００３５】
なお、ここに示した装置構成はひとつの具体例を示すものであって、本考案に条件や制限を与えるものではない。
【００３６】
キャピラリアレイは、交換可能な部品でありユーザの使用目的によりキャピラリ本数や長さの違うものが選ばれる。又、キャピラリアレイが汚染等により劣化した場合も交換する。キャピラリアレイの交換は、通常ユーザが行うがキャピラリアレイを取り付けた時、アクリル製の流路ブロック１１１に浸入した空気を取り除く必要がある。何故なら、アクリル製の流路ブロック１１１の流路は、キャピラリアレイ１１９とバッファ容器１２６間の流路を電気泳動路として高電圧が印加される部分なので空気が気泡となって残留していると放電等が生じてしまい測定に支障をきたす場合がある。初めて装置を使用する際、アクリル製の流路ブロック１１１の流路を構成している部品の洗浄，乾燥が必要になる。部品洗浄後キャピラリアレイ１１９をアクリル製の流路ブロック１１１に取り付けたキャピラリアレイ接続部を含めた流路全てにポリマー溶液１０１を満たす必要がある。その際、注入用ポンプ１１６を使ってポリマー溶液１０１を注入する。
【００３７】
キャピラリアレイの交換を行う際は、キャピラリアレイ交換後に、やはり、注入用ポンプ１１６からポリマー溶液１０１を流し込むことでアクリル製の流路ブロック１１１内に混入した気泡を排出する。部分的に気泡が残留する個所があれば、更にポリマー溶液１０１を流し気泡をポリマー溶液で押し出そうとするので、結果的に大量の貴重なポリマー溶液１０１を消費してしまう場合がある。
【００３８】
図１に示す実施例のような構成では、気泡の排出を次のように行う。まず、キャピラリアレイ１１９を接続し、電動のバッファバルブ１１３を開く。注入用ポンプ１１６からポリマー溶液１０１を吸引して、流路に浸入した気泡は、ポリマー溶液１０１と一緒にバッファ容器側１２６から排出する。通常、アクリル製の流路ブロック１１１内の流路は気泡除去が容易に行われるように流路の径を１mm程度と小さくしアクリル製の流路ブロック内を均一に流れるようにしている。
【００３９】
一方で、キャピラリアレイ１１９を接続する部分は、キャピラリヘッド１１２を収容するスペースが必要なので安易に小さくできない。又、従来品のキャピラリアレイ接続部を流れるポリマー溶液１０１は、上側から下側に向かって流れる流路になっていた為、ポリマー溶液１０１の中で気泡が下方向に押し込まれていた結果、電気泳動路に気泡が密着してしまっていた。この結果、アクリル製の流路ブロック１１１の中で、最も気泡が残留しやすい部分の一つになっている。こうした、気泡の抜けにくい部分があると結果的に、気泡除去のために大量のポリマー溶液を使用してしまう場合があった。
【００４０】
そこで、図３に示すような流路構成を本考案として考案した。
【００４１】
図３の構成のポイントは、キャピラリアレイ１１９が斜め上を向くように接続しキャピラリアレイ接続部に対して下側からポリマー溶液１０２を送液するような流路構成にしたことである。ここで、注入用ポンプ１１６は図１の手動用シリンジ１０８と同じ役割を果たすものである。この配置にすることで、キャピラリアレイ接続部の気泡は、ポリマー溶液１０１により下から押し上げられて、上方の流路３０１に排出されることになる。すなわち、前述した気泡がポリマー溶液１０１の中では上に浮かび上がるという性質を利用した流路配置にした。キャピラリアレイ接続部からの気泡の排出が容易に行えるようになり結果的に装置の使い勝手が良くなり、気泡除去に必要となるポリマー溶液の消費量を減らすことができることから装置の経済性が向上する。
【００４２】
図１及び、図３を用いて具体的内容を説明する。
【００４３】
キャピラリアレイ１１９が、注入用ポンプ１１６と接続する部分に於いて、前記キャピラリアレイ１１９のキャピラリヘッド１１２先端形状をコーン状にする事により気泡の付着を防ぎ更に、キャピラリヘッド１１２先端を下側斜め方向から上方向にアクリル製の流路ブロック１１１に挿入する事により気泡の流れを作り易くする。
【００４４】
更に、キャピラリアレイ１１９を挿入するアクリル製の流路ブロック１１１の内面は、波形面（例えば、細めネジで山の先端が丸い形状）を施し、更に、内面の表面を粗くする事により気泡の密着を低減し内面の内壁から気泡を離脱し易くした事を特徴とする。更に、キャピラリヘッド１１２上部に気泡が浮上した時に気泡が溜まる為のロート状の筒３０２を設けた事により、前記ロート状の筒３０２に小さな気泡を集め一体化させる事により気泡を大きくする効果がある。前記ロート状の筒３０２に集められた大きな気泡を気泡抜きネジ１０９を開閉する事により気泡抜きシリンジ１１０で吸引し易くした事を特徴とする。更に、ポリマー溶液１０１を注入する配管位置をキャピラリヘッド１１２の下側から上方に向かって流れるような流路系にした事によりキャピラリヘッド１１２先端付近の気泡の流れを作る事ができ、より多くの気泡を前記ロート状の気泡溜めに浮上させる事を特徴とする。更に、循環用流路３０３を設ける事により注入用ポンプ１１６の流路径と循環用流路径の違いを利用して注入用ポンプ１１６からの注入圧力差によりキャピラリヘッド１１２付近のポリマー溶液１０１又は、バッファ溶液１０３を循環させる流れを作る事によりキャピラリヘッド１１２先端付近の気泡を浮上し易くし気泡溜めに気泡を導き易くした。前記で発生した気泡は、途中の気泡抜きネジ１０９下方の気泡溜めに集められ気泡抜きネジ１０９を開く事により容易に気泡を除去する事を特徴とする。
【００４５】
更に、注入用ポンプ１１６から吸引しているポリマー溶液１０１を切り替えバルブ１０５で切り替える事により高価なポリマー溶液１０１から安価なバッファ溶液１０３に切り替えて気泡が除去できるまでバッファ溶液１０３を流し続けて気泡を除去する事を特徴とする。
【００４６】
更に、循環用流路を使用し注入用ポンプ１１６の替わりに手動用シリンジ１０８を使用する事によりポリマー溶液又は、安価なバッファ溶液を直接キャピラリヘッド１１２に注入する事ができる。更に、手動用シリンジ１０８を使用する事で浸入した気泡を気泡溜めに浮上させ気泡抜きネジ１０９から気泡を容易に除去できる事を特徴とする。
【００４７】
但し、バッファ溶液１０３で気泡を除去した場合は、ポリマー溶液１０１で置換する必要がある。
【００４８】
ポリマー溶液１０１より密度の軽いバッファ溶液１０３は、気泡抜きネジ１０９を開ける事により容易に除去できる事を特徴とする。
【図面の簡単な説明】
【００４９】
【図１】キャピラリ電気泳動装置の構成図。
【図２】キャピラリアレイの外観図。
【図３】本考案に関するアクリル製の流路ブロックの流路構成図。
【符号の説明】
【００５０】
１０１  ポリマー溶液
１０２  ポリマー容器
１０３，１１５，１２３  バッファ溶液
１０４，１２２，１２６  バッファ容器
１０５  切り替えバルブ
１０６，１０７  逆止弁
１０８  手動用シリンジ
１０９  気泡抜きネジ
１１０  気泡吸引シリンジ
１１１  アクリル製の流路ブロック
１１２，２０５  キャピラリヘッド
１１３  電動のバッファバルブ
１１４  配管チューブ
１１６  注入用ポンプ
１１７  受光光学系
１１８  検知部
１１９  キャピラリアレイ
１２０，２０３  キャピラリ
１２１  試料注入端
１２４  レーザ光源
１２５  高電圧印加部
２０１  中空電極（試料注入端）
２０２  ロードヘッダ
２０４  レーザ光を照射する為の開口部
２０６  検知部（ウインドウユニット）
２０７  発光を取り出す為の開口部
３０１  上方の流路（気泡溜め）
３０２  ロート状の筒
３０３  循環用流路
【図１】
0003136062.tif 000003
【図２】
0003136062.tif 000004
【図３】
0003136062.tif 000005